(57)【要約】【課題】眼球が回旋した場合であっても正確に視野検査を行うヘッドマウント型の視覚検査装置、視覚検査装置の視標補正方法、および表示装置を提供する。【解決手段】視覚検査装置は、被検者の頭部に装着されるヘッドマウント型の視覚検査装置であって、被検者の眼球に対して視標を呈示する表示手段と、眼球を撮像する撮像手段と、撮像手段で撮像した眼球の画像に基づいて、被検者の頭部の左右方向への傾きに伴う眼球の回旋を検出する回旋検出手段と、眼球の回旋に応じて、表示手段が呈示する視標の呈示位置を補正する視標補正手段と、を有する。【選択図】図３
2016198387.tif 000002
【特許請求の範囲】
【請求項１】
被検者の頭部に装着されるヘッドマウント型の視覚検査装置であって、
前記被検者の眼球に対して視標を呈示する表示手段と、
前記眼球を撮像する撮像手段と、
前記撮像手段で撮像した前記眼球の画像に基づいて、前記被検者の頭部の左右方向への傾きに伴う前記眼球の回旋を検出する回旋検出手段と、
前記眼球の回旋に応じて、前記表示手段が呈示する前記視標の呈示位置を補正する視標補正手段と、
を有する視覚検査装置。
【請求項２】
前記回旋検出手段は、
前記被検者の頭部が基準状態であるときに前記撮像手段で撮像した前記眼球の画像を基準画像として保持する基準画像保持手段と、
前記被検者が使用状態であるときに前記撮像手段で撮像した前記眼球の画像である使用中画像を、前記基準画像とパターンマッチングさせ、前記基準画像に対する前記使用中画像の回旋角を計測する回旋角計測手段と、
を有し、
前記視標補正手段は、前記回旋角計測手段が計測した前記回旋角に応じて、前記表示手段が呈示する前記視標の呈示位置を補正する請求項１に記載の視覚検査装置。
【請求項３】
前記基準画像および前記使用中画像のそれぞれは、前記眼球の虹彩の画像を含む請求項２に記載の視覚検査装置。
【請求項４】
前記表示手段が呈示する前記視標の光を前記眼球の網膜に導く表示光学系と、
前記眼球の像を前記撮像素子に導く観察光学系と、
を有し、
前記表示光学系は、前記表示素子よりも前記眼球側に、特定の波長の光を反射し、その他の光を透過するミラーを有し、
前記表示光学系の前記眼球の瞳孔から前記ミラーまでの光軸と、前記観察光学系の前記眼球の瞳孔から前記ミラーまでの光軸とが一致している請求項１〜３のいずれか１項に記載の視覚検査装置。
【請求項５】
被検者の頭部に装着されるヘッドマウント型の視覚検査装置の視標補正方法であって、
前記眼球を撮像した画像に基づいて、前記被検者の頭部の左右方向への傾きに伴う前記眼球の回旋を検出する工程と、
前記眼球の回旋に応じて、前記被検者の眼球に対して呈示する視標の呈示位置を補正する工程と、
を有する視覚検査装置の視標補正方法。
【請求項６】
前記眼球の回旋を検出する工程は、
前記被検者の頭部が基準状態であるときに撮像した前記眼球の画像を基準画像として保持する基準画像保持工程と、
前記被検者が使用状態であるときに撮像した前記眼球の画像である使用中画像を取得する使用中画像取得工程と、
前記使用中画像を前記基準画像とパターンマッチングさせ、前記基準画像に対する前記使用中画像の回旋角を計測する回旋角計測工程と、
を有し、
前記視標補正工程では、
前記回旋角に応じて、前記表示手段が呈示する前記視標の呈示位置を補正する請求項５に記載の視覚検査装置の視標補正方法。
【請求項７】
使用者の頭部に装着されるヘッドマウント型の表示装置であって、
前記使用者の眼球に対して画像を表示する表示手段と、
前記眼球を撮像する撮像手段と、
前記撮像手段で撮像した前記眼球の画像に基づいて、前記被検者の頭部の左右方向への傾きに伴う前記眼球の回旋を検出する回旋検出手段と、
前記眼球の回旋に応じて、前記表示手段が表示する前記画像の表示位置を補正する画像補正手段と、
を有する表示装置。
【発明の詳細な説明】
【技術分野】
【０００１】
本発明は、視覚検査装置、視覚検査装置の視標補正方法、および表示装置に関する。
【背景技術】
【０００２】
近年では、使用者が頭部に装着して映像等を観賞するためのヘッドマウント型の表示装置が開発されている。さらに、ヘッドマウント型の表示装置を応用することにより、緑内障などの視野狭窄等の症状を診断する視野検査を行うためのヘッドマウント型の視覚検査装置が提案されている（例えば、特許文献１）。視野検査では、視覚検査装置の表示手段に視標を呈示したときに、視標が見えたかを被検者自身が回答するか、或いは視標を呈示したときの瞳孔の縮瞳を検出することにより、被検者の視野を計測する。
【先行技術文献】
【特許文献】
【０００３】
【特許文献１】特開平７−６７８３３号公報
【発明の概要】
【発明が解決しようとする課題】
【０００４】
ところで、上記のような視野検査において、被検者は、視野検査に集中することによる疲労などのため、頭部を（鼻から後頭部に向かう方向を軸として）左右に傾ける可能性がある。被検者の頭部が左右に傾いたとき、眼球が頭部の傾き方向と反対の方向に回転する現象、いわゆる眼球反対回旋運動（ＯＣＲ：Ocular Counterrolling、以下、単に「回旋」と呼ぶ）が起こりうる。本発明者等は、ヘッドマウント型の視覚検査装置において、このような眼球の回旋が生じた場合、以下のように、正確に視野検査を行うことができない可能性があることを見出した。
【０００５】
被検者の頭部が左右に傾いたとき、視標を呈示する表示素子は、ヘッドマウント型として頭部に装着されているため、頭部と一緒に傾く（頭部の傾きに追従する）状態にある。被検者の頭部が傾いたときの視標の呈示位置は、被検者の頭部が傾く前の視標の呈示位置と変わらない。一方で、このとき、被検者の眼球は、頭部の傾き方向と反対の方向に回旋する。回旋時の眼球に対する視標の呈示位置は、回旋前の眼球に対する視標の呈示位置よりも、眼球の回旋方向と反対の方向に相対的にずれてしまうことになる。このように視標の呈示位置がずれてしまった状態では、網膜上の目標とする視標の呈示位置に対して、正確な検査を行うことができなくなってしまう。
【０００６】
そこで、本発明は、眼球が回旋した場合であっても正確に視野検査を行うヘッドマウント型の視覚検査装置、視覚検査装置の視標補正方法、および表示装置を提供することを、主たる目的とする。
【課題を解決するための手段】
【０００７】
本発明の第１の態様は、
被検者の頭部に装着されるヘッドマウント型の視覚検査装置であって、
前記被検者の眼球に対して視標を呈示する表示手段と、
前記眼球を撮像する撮像手段と、
前記撮像手段で撮像した前記眼球の画像に基づいて、前記被検者の頭部の左右方向への傾きに伴う前記眼球の回旋を検出する回旋検出手段と、
前記眼球の回旋に応じて、前記表示手段が呈示する前記視標の呈示位置を補正する視標補正手段と、
を有する視覚検査装置である。
本発明の第２の態様は、
前記回旋検出手段は、
前記被検者の頭部が基準状態であるときに前記撮像手段で撮像した前記眼球の画像を基準画像として保持する基準画像保持手段と、
前記被検者が使用状態であるときに前記撮像手段で撮像した前記眼球の画像である使用中画像を、前記基準画像とパターンマッチングさせ、前記基準画像に対する前記使用中画像の回旋角を計測する回旋角計測手段と、
を有し、
前記視標補正手段は、前記回旋角計測手段が計測した前記回旋角に応じて、前記表示手段が呈示する前記視標の呈示位置を補正する第１の態様に記載の視覚検査装置である。
本発明の第３の態様は、
前記基準画像および前記使用中画像のそれぞれは、前記眼球の虹彩の画像を含む第２の態様に記載の視覚検査装置である。
本発明の第４の態様は、
前記表示手段が呈示する前記視標の光を前記眼球の網膜に導く表示光学系と、
前記眼球の像を前記撮像素子に導く観察光学系と、
を有し、
前記表示光学系は、前記表示素子よりも前記眼球側に、特定の波長の光を反射し、その他の光を透過するミラーを有し、
前記表示光学系の前記眼球の瞳孔から前記ミラーまでの光軸と、前記観察光学系の前記眼球の瞳孔から前記ミラーまでの光軸とが一致している第１〜第３の態様のいずれかに記載の視覚検査装置である。
本発明の第５の態様は、
被検者の頭部に装着されるヘッドマウント型の視覚検査装置の視標補正方法であって、
前記眼球を撮像した画像に基づいて、前記被検者の頭部の左右方向への傾きに伴う前記眼球の回旋を検出する工程と、
前記眼球の回旋に応じて、前記被検者の眼球に対して呈示する視標の呈示位置を補正する工程と、
を有する視覚検査装置の視標補正方法である。
本発明の第６の態様は、
前記眼球の回旋を検出する工程は、
前記被検者の頭部が基準状態であるときに撮像した前記眼球の画像を基準画像として保持する基準画像保持工程と、
前記被検者が使用状態であるときに撮像した前記眼球の画像である使用中画像を取得する使用中画像取得工程と、
前記使用中画像を前記基準画像とパターンマッチングさせ、前記基準画像に対する前記使用中画像の回旋角を計測する回旋角計測工程と、
を有し、
前記視標補正工程では、
前記回旋角に応じて、前記表示手段が呈示する前記視標の呈示位置を補正する第５の態様に記載の視覚検査装置の視標補正方法である。
本発明の第７の態様は、
使用者の頭部に装着されるヘッドマウント型の表示装置であって、
前記使用者の眼球に対して画像を表示する表示手段と、
前記眼球を撮像する撮像手段と、
前記撮像手段で撮像した前記眼球の画像に基づいて、前記被検者の頭部の左右方向への傾きに伴う前記眼球の回旋を検出する回旋検出手段と、
前記眼球の回旋に応じて、前記表示手段が表示する前記画像の表示位置を補正する画像補正手段と、
を有する表示装置である。
【発明の効果】
【０００８】
本発明によれば、眼球が回旋した場合であっても正確に視野検査を行うヘッドマウント型の視覚検査装置、視覚検査装置の視標補正方法、および表示装置を提供することができる。
【図面の簡単な説明】
【０００９】
【図１】本実施形態の視覚検査装置の概略図である。
【図２】本実施形態の視覚検査装置の断面概略図である。
【図３】本実施形態の視覚検査装置における制御部の構成を示す概略図である。
【図４】本実施形態の視覚検査装置の視標補正方法を示すフローチャートである。
【図５】（ａ）は、被検者の頭部が基準状態であるときの図であり、（ｂ）は、被検者の頭部が基準状態であるときの被検者の眼球の画像を示す図である。
【図６】（ａ）は、被検者が使用状態であるときの図であり、（ｂ）は、被検者が使用状態であるときの被検者の眼球の画像を示す図である。
【図７】（ａ）は、基準画像を示す図であり、（ｂ）は、使用中画像を示す図であり、（ｃ）は、基準画像と使用中画像とをパターンマッチングしたときの図である。
【図８】（ａ）は、被検者の頭部が基準状態であるときの視標を示す図であり、（ｂ）は、被検者が使用状態であるときの視標を示す図である。
【図９】他の実施形態の表示装置における制御部の構成を示す概略図である。
【発明を実施するための形態】
【００１０】
以下、本発明の実施の形態について図面を参照しつつ詳細に説明する。
本実施形態においては、次の順序で説明を行う。
１．視覚検査装置
１−１．表示光学系および表示素子
１−２．観察光学系および撮像素子
１−３．制御部
２．視覚検査方法
３．視覚検査装置の視標補正方法
４．実施の形態による効果
５．他の実施の形態
５−１．制御部
５−２．表示装置の画像補正方法
６．変形例等
【００１１】
＜１．視覚検査装置＞
図１は、本実施形態の視覚検査装置の概略図である。図１に示されているように、本実施形態の視覚検査装置１０は、視野検査の被検者の頭部に装着されるヘッドマウント型の視覚検査装置として構成されている。具体的には、視覚検査装置１０は、例えば、ヘッドマウント（ＨＭ）部１００と、制御部４００とを備えている。
【００１２】
ＨＭ部１００は、筺体（装着本体）１１０と、筺体１１０に接続された装着具１２０と、を有しており、装着具１２０によって被検者の頭部に装着可能に構成されている。筺体１１０内には、後述する表示光学系（２００）および観察光学系（３００）等が格納されている。例えば、両目のそれぞれに表示光学系（２００）が設けられており、筺体１１０内には、右眼に対応した表示素子（表示手段）２４０Ｒと、左眼に対応した表示素子２４０Ｌとが設けられている。また、装着具１２０は、被検者の両側頭部から後頭部にかけてＵ字状に架け渡される第１ベルトと、被検者の頭頂部に架け渡される第２ベルトと、を備えている。第２ベルトは、長さを調整可能に構成されていてもよい。
【００１３】
制御部４００は、表示光学系（２００）および観察光学系（３００）等を制御するよう構成されている。また、制御部４００は、例えば、装着具１２０の後頭部側に配置されている。これにより、筺体１１０と制御部４００との前後の重量バランスを保つことができる。制御部４００については詳細を後述する。
【００１４】
図２は、本実施形態の視覚検査装置の断面概略図である。図２に示されているように、本実施形態の視覚検査装置１０は、眼球２０に対して視標を呈示するための表示光学系２００と、眼球２０を撮像するための観察光学系３００と、を有している。以下、視覚検査装置１０の光学系の一例について、詳細を説明する。
【００１５】
なお、図２には、片眼に対応する光学系（表示光学系２００および観察光学系３００）が示されているが、例えば、左右の眼のそれぞれに対応する光学系は、互いに同様の構成を有している。以下の説明では、左右の眼のそれぞれに対応する光学系を区別なく記載し、ＬおよびＲの符号を省略する。
【００１６】
（１−１．表示光学系および表示素子）
表示光学系２００は、所定の視標の光を眼球２０の網膜２２に導くよう構成されている。ここでいう「視標」とは、視野検査の際に被検者の眼球に対して呈示される点または図形のことである。表示光学系２００は、例えば、眼球２０側から順に、第１レンズ２１０と、ミラー２２０と、第２レンズ群２３０と、を有している。
【００１７】
第１レンズ２１０は、眼球２０を物体としたときに対物レンズとして機能し、例えば正レンズとして構成されている。第１レンズ２１０の光軸２８０ａは、眼球２０の瞳孔２１の中心（眼球２０の中心）を通過するように配置されている。
【００１８】
ミラー２２０は、特定の波長の光を反射し、その他の光を透過するよう構成されている。具体的には、ミラー２２０は、例えば、可視光を反射し赤外光を透過するコールドミラーとして構成されている。ミラー２２０は、第１レンズ２１０の光軸２８０ａ上で第１レンズ２１０を挟んで眼球２０と反対側に設けられている。また、ミラー２２０は、第１レンズ２１０の光軸２８０ａに対して所定の角度で傾斜して設けられている。一方で、ミラー２２０は、後述する眼球２０表面で反射した赤外光をミラー２２０の眼球２０と反対側に透過するようになっている。
【００１９】
第２レンズ群２３０は、第１レンズ２１０の光軸２８０ａに対してミラー２２０を介して反射する方向の光軸２８０ｂ上に設けられている。つまり、表示光学系２００の眼球２０の瞳孔２１からミラー２２０までの光軸２８０ａと、表示光学系２００のミラー２２０から表示素子２４０までの光軸２８０ｂとは、ミラー２２０を介して互いに反射する方向に屈曲されている。
【００２０】
また、第２レンズ群２３０は、表示光学系２００の色収差を補正するために、少なくとも、正の屈折力を有するレンズと、負の屈折力を有するレンズとを有している。具体的には、第２レンズ群２３０は、例えば、眼球２０側から順に、正レンズ２３２と、負レンズ２３４と、眼球２０側に凸の正メニスカスレンズ２３６と、を有している。
【００２１】
表示素子（表示手段）２４０は、眼球２０に対して所定の視標を呈示するよう構成されている。所定の視標とは、例えば、十字型などの固定視標や、視野検査のための所定の明るさ（輝度）を有する刺激視標などである。表示素子２４０は、例えば、液晶表示素子、有機ＥＬ表示素子などとして構成されている。
【００２２】
表示素子２４０は、第２レンズ群２３０の光軸２８０ｂ上で第２レンズ群２３０を挟んでミラー２２０と反対側に設けられている。表示素子２４０の表示面は、その法線方向が第２レンズ群２３０の光軸２８０ｂと一致するように配置されている。また、表示素子２４０は、第１レンズ２１０、ミラー２２０および第２レンズ群２３０を介して、網膜２２に対して光学的に共役な位置に配置されている。
【００２３】
また、表示素子２４０は、制御部４００に接続されており、制御部４００からの信号に基づいて眼球２０に対して所定の視標を呈示するように構成されている。
【００２４】
（１−２．観察光学系および撮像素子）
観察光学系３００は、眼球２０の像（虹彩２４および瞳孔２１の像等）を撮像素子３４０に導くよう構成されている。具体的には、観察光学系３００は、例えば、眼球２０側から順に、光源３１０と、表示光学系２００と共有されている第１レンズ２１０と、表示光学系２００と共有されているミラー２２０と、撮像レンズ３２０と、を有している。
【００２５】
眼球２０と第１レンズ２１０との間には、第１レンズ２１０の光線通過範囲よりも外側の位置に、眼球２０を照明する光源３１０が設けられている。光源３１０は、例えば、眼球２０を挟んで水平方向（または鉛直方向）に２つ設けられている。光源３１０は、例えば赤外光を照射するＬＥＤ光源として構成されている。赤外光を眼球２０に照射することにより、被検者の網膜２２に感知されることなく、被検者の眼球２０を撮像することができる。
【００２６】
観察光学系３００では、第１レンズ２１０およびミラー２２０が表示光学系２００と共有されていることにより、表示光学系２００の眼球２０の瞳孔２１からミラー２２０までの光軸２８０ａは、観察光学系３００の眼球２０の瞳孔２１からミラーまでの光軸（２８０ａ）と一致している。これにより、表示素子２４０による視標の呈示位置と、撮像素子３４０によって撮像した眼球２０の画像内での位置とを対応（一致）させることができる。
【００２７】
表示光学系２００と共有されているミラー２２０は、上述のように、光源３１０から照射され眼球２０の表面で反射した赤外光を透過するようになっている。
【００２８】
撮像レンズ３２０は、ミラー２２０を透過した赤外光を撮像素子３４０に結像するリレーレンズとして構成されている。撮像レンズ３２０の光軸３８０ａは、第１レンズ２１０の光軸３８０ａと一致している（同軸上に位置している）。
【００２９】
撮像素子（撮像手段）３４０は、赤外光を検出することにより眼球２０を撮像するよう構成されており、具体的には、例えばＣＣＤ（Charge Coupled Device）、またはＣＭＯＳ（Complementary Metal Oxide Semiconductor）として構成されている。撮像素子３４０は、撮像レンズ３２０の光軸３８０ａ上で撮像レンズ３２０を挟んでミラー２２０と反対側に設けられている。撮像素子３４０の撮像面は、その法線方向が撮像レンズ３２０の光軸３８０ａと一致するように配置されている。また、撮像素子３４０は、制御部４００に接続されており、制御部４００に対して眼球２０を撮像した画像を送信するよう構成されている。
【００３０】
（１−３．制御部）
図３は、本実施形態の視覚検査装置における制御部の構成を示す概略図である。本実施形態の制御部（コンピュータ部）４００は、視覚検査装置１０に係る各種制御を行うためのものであり、具体的には、ＣＰＵ（Central Processing Unit）、ＲＡＭ（Random Access Memory）、ＲＯＭ（Read Only Memory）、ＨＤＤ（Hard disk drive）、各種インタフェース等の組み合わせからなるものである。そして、制御部４００は、ＣＰＵがＲＯＭまたはＨＤＤに格納された所定プログラムを実行することにより、各種手段（４１０〜４５０）として機能するように構成されている。
【００３１】
なお、制御部４００は、表示素子２４０および撮像素子３４０と有線または無線により通信可能に接続されており（Ａ，Ｂ）、表示素子２４０および撮像素子３４０を制御するよう構成されている。
【００３２】
ここで、本実施形態の制御部４００の所定プログラムによって実現される機能は、視野検査に必要な動作制御機能である視野検査機能と、視野検査において視標の呈示位置を補正する視標補正制御機能と、に分けられている。視野検査機能は、視標呈示手段４１０、縮瞳検出手段４２０、および感度マッピング手段４３０を備えている。一方、視野検査における視標補正制御機能は、回旋検出手段４４０および視標補正手段４５０を備えている。
【００３３】
本実施形態の視覚検査装置１０は、後述する自覚式視野検査を行うことができるように構成されており、制御部４００は、視野検査機能である感度マッピング手段４３０として機能するように構成されている。
例えば、被検者の近傍には、視標が見えたかを被検者自身が回答するためのスイッチ５２０が設けられている。スイッチ５２０は、制御部４００に接続されており（Ｃ）、制御部４００に被検者が視認したことを示す信号を送信するよう構成されている。
制御部４００の感度マッピング手段４３０は、スイッチ５２０から送信された信号に基づいて、視標が見えるようになったときの表示素子２４０の輝度を網膜２２の感度としてマッピングするための機能である。
【００３４】
さらに、本実施形態の視覚検査装置１０は、後述する他覚式視野検査を行うことができるようにも構成されており、制御部４００は、視野検査機能である視標呈示手段４１０、縮瞳検出手段４２０、および感度マッピング手段４３０として機能するように構成されている。
視標呈示手段４１０は、表示素子２４０により視標を呈示させるための機能である。
縮瞳検出手段４２０は、撮像素子３４０が取得した瞳孔２１の画像に基づいて、表示素子２４０が呈示する視標の明るさが所定の明るさ（輝度）以上となったときの瞳孔２１の縮瞳を検出するための機能である。
感度マッピング手段４３０は、自覚式視野検査だけでなく他覚式視野検査においても用いられる機能であり、縮瞳検出手段が瞳孔２１の縮瞳を検出したときに表示素子２４０が呈示していた視標の明るさ（輝度）を網膜２２の感度としてマッピングするための機能である。
【００３５】
また、本実施形態の視覚検査装置１０は、視野検査において、眼球２０の回旋に応じて視標の呈示位置を補正するように構成されており、制御部４００は、視標補正制御機能である回旋検出手段４４０および視標補正手段４５０として機能するように構成されている。
回旋検出手段４４０は、撮像素子３４０で撮像した眼球２０の画像に基づいて、眼球２０の回旋を検出するための機能であり、例えば、基準画像保持手段４４２および回旋角計測手段４４６を有している。
基準画像保持手段４４２は、被検者の頭部が基準状態であるときに撮像素子３４０で撮像した眼球２０の画像を基準画像として保持するための機能である。
回旋角計測手段４４６は、被検者が使用状態であるときに撮像素子３４０で撮像した眼球２０の画像である使用中画像を、基準画像とパターンマッチングさせ、基準画像に対する使用中画像の回旋角を計測するための機能である。
視標補正手段４５０は、眼球２０の回旋に応じて、表示素子２４０が呈示する視標の呈示位置を補正するための機能である。
【００３６】
これらの各機能を実現するための所定プログラムは、制御部４００にインストールして用いられるが、そのインストールに先立ち、制御部４００で読み取り可能な記憶媒体に格納されて提供されるものであってもよいし、あるいは制御部４００と接続する通信回線を通じて当該制御部４００へ提供されるものであってもよい。
また、所定プログラムがインストールされる制御部４００は、視覚検査装置１０の各部に対して動作制御指示を与え得るものであれば、必ずしも当該視覚検査装置１０に搭載されていなくてもよく、当該視覚検査装置１０に通信回線を介して接続されたものであってもよい。
【００３７】
＜２．視覚検査方法＞
次に、本実施形態の視覚検査装置１０による視覚検査方法について説明する。本実施形態の視覚検査装置１０により、動的量的視野検査、静的量的視野検査、眼底視野検査（マイクロペリメトリー）、網膜電図検査（ＥＲＧ）その他の検査を行うことができる。以下では、静的量的視野検査を行う場合について説明する。静的量的視野検査については、自覚式視野検査と他覚式視野検査があり、本実施形態の視覚検査装置１０では、いずれの方式の検査も行うことができる。
【００３８】
自覚式視野検査は、次のようにして行われる。まず、視覚検査装置１０のＨＭ部１００を被検者の頭部に装着させ、被検者にスイッチ５２０を持たせる。制御部４００の視標呈示手段４１０は、表示素子２４０により視野内の一点に視標を呈示させ、視標の明るさを徐々に増していく。視標の明るさが所定の明るさ以上になると、被検者は、視標を見ることができるようになる。このとき、被検者は、スイッチ５２０を押す。そして、被検者が視認したことを示す信号が、スイッチ５２０から制御部４００に送信される。制御部４００の感度マッピング手段４３０は、スイッチ５２０から送信された信号に基づいて、視標が見えるようになったときの視標の明るさに対応する値を、その視標を呈示している点における網膜感度とする。視野内の各点について同様の測定を行うことにより、制御部４００の感度マッピング手段４３０は、視野内の網膜２２感度のマップを作成する。
【００３９】
他覚式視野検査は、次のようにして行われる。まず、視覚検査装置１０のＨＭ部１００を被検者の頭部に装着させる。この場合、被検者にスイッチ５２０を持たせる必要はない。制御部４００の視標呈示手段４１０は、表示素子２４０により視野内の一点に視標を呈示させ、視標の明るさを徐々に増していく。これと同時に、光源３１０により、赤外光を被検者の眼球２０に照射し、撮像素子３４０により、被検者の眼球２０の瞳孔２１を撮像する。視標の明るさが所定の明るさ以上になると、被検者は、被検者の網膜２２が視標の光を感知することにより、視標を見ることができるようになる。このとき、被検者の瞳孔は、視標の明るさに応じて変化（縮瞳）する。制御部４００の縮瞳検出手段４２０は、撮像素子３４０が取得した瞳孔２１の画像に基づいて画像解析を行うことにより、表示素子２４０が呈示する視標の明るさが所定の明るさ以上となったときの瞳孔２１の縮瞳を検出する。そして、制御部４００の縮瞳検出手段４２０が瞳孔２１の縮瞳を検出したとき、制御部４００の感度マッピング手段４３０は、縮瞳検出手段４２０が瞳孔２１の縮瞳を検出したときに表示素子２４０が呈示していた視標の明るさを網膜２２の感度とする。視野内の各点について同様の測定を行うことにより、制御部４００の感度マッピング手段４３０は、視野内の網膜２２感度のマップを自動的に作成する。
【００４０】
また他覚式検査は、表示素子２４０の一点に明るい視標を表示し、瞳孔検出手段４２０により検出された瞳孔２１の瞳孔径の縮小の度合いを観察することにより感度マップを作成する単一閾上刺激法を用いても良い。
【００４１】
＜３．視覚検査装置の視標補正方法＞
上記のような視野検査において、被検者は、視野検査に集中することによる疲労などのため、頭部を左右に傾ける可能性がある。被検者の頭部が左右に傾いたとき、眼球２０が頭部の傾き方向と反対の方向に回転する現象、いわゆる眼球２０の回旋が起こりうる。そこで、本実施形態では、視覚検査において眼球２０が回旋した場合、以下のように視標の呈示位置を補正する。
【００４２】
図４は、本実施形態の視覚検査装置の視標補正方法を示すフローチャートである。図４に示されている視標補正方法のフローは、上記した視野検査の際に実施されるものである。以下において、被検者の右眼に対する視標補正方法のみを説明するが、左眼に対しても同様の視標補正方法が適用される。なお、右眼に対する視標の呈示位置の補正を、同時に左眼に対する視標の呈示位置の補正に適用してもよいし、逆に、左眼に対する視標の呈示位置の補正を、同時に右眼に対する視標の呈示位置の補正に適用してもよい。
【００４３】
まず、以下のようにして、撮像素子３４０で撮像した眼球２０の画像に基づいて、被検者の頭部の左右方向への傾きに伴う眼球２０の回旋を検出する。なお、以下において、ステップを「Ｓ」と略す。
【００４４】
（Ｓ１１０：基準画像保持工程）
図５（ａ）は、被検者の頭部が基準状態であるときの図である。
図５（ａ）には、視野検査を始める前に、被検者が視覚検査装置１０を頭部に装着したときの様子が示されている。このとき、被検者の頭部は鉛直方向に沿って直立しており、被検者の両眼は水平に位置している。このように被検者が視覚検査装置１０を頭部に装着した初期状態を、「基準状態」とする。
【００４５】
図５（ｂ）は、被検者の頭部が基準状態であるときの被検者の眼球の画像を示す図である。なお、図５（ｂ）において、被検者から見て右眼の上側をＵ、下側をＤ、左側をＬ、右側をＲとしている。つまり、紙面上では、右側がＬ、左側がＲとなっている。また、以降の図６〜８においてもＵ、Ｄ、ＬおよびＲを同様に図示している。
図５（ｂ）に示されているように、被検者の頭部が基準状態であるとき、撮像素子３４０は、眼球２０の画像を取得し、その画像を制御部４００に送信する。制御部４００では、基準画像保持手段４４２が、被検者の頭部が基準状態であるときの眼球２０の画像を「基準画像Ｐ１」として保持する（Ｓ１１０）。このとき、眼球２０の像を撮像素子３４０に導く観察光学系３００の光軸３８０ａが、眼球２０の中心を通過するように配置されていることにより、基準画像Ｐ１の中心は、眼球２０の中心（すなわち瞳孔２１の中心）と一致している。なお、以降の視野検査の際においても、撮像素子３４０が撮像する画像の中心は、眼球２０の中心から移動しないものとする。また、このとき、基準画像Ｐ１において、眼球２０の中心を通り頭部の上下方向に平行な方向（ＵＤ方向）の線を「眼球２０の頭部方向中心線２０ｃ」とする。
【００４６】
また、基準画像Ｐ１は、眼球２０の虹彩２４の画像を含んでいる。虹彩２４は被検者毎に上下左右非対称の特有の模様を有しているため、基準画像Ｐ１における虹彩２４の画像は、後述するように、眼球２０の回旋角を計測するために用いられる。
【００４７】
（Ｓ１２０：使用中画像取得工程）
基準画像保持工程Ｓ１１０後、上記した視野検査を開始する。被検者が視野検査を行っている状態を、以下では、被検者が視覚検査装置１０を使用している状態、すなわち「使用状態」とする。
【００４８】
図６（ａ）は、被検者が使用状態であるときの図である。
図６（ａ）には、例えば、視野検査の際に、被検者が頭部を右（Ｒ）方向に傾けた様子が示されている。ここで、被検者に対向したときに時計と反対回りの方向（頭部の右（Ｒ）方向）を正の方向とする。図６（ａ）の場合では、被検者の頭部は正の方向に傾いており、鉛直方向に対する被検者の頭部の傾き角度が＋αであるとする（α≧０）。
【００４９】
図６（ｂ）は、被検者が使用状態であるときの被検者の眼球の画像を示す図である。
図６（ｂ）に示されているように、被検者が使用状態であるとき、撮像素子３４０は、眼球２０の状態を把握するために、例えば所定の時間間隔で眼球２０の画像を取得し、その画像を制御部４００に送信する（Ｓ１２０）。このとき、撮像素子３４０が撮像した、被検者が使用状態であるときの眼球２０の画像を「使用中画像Ｐ２」とする。
【００５０】
例えば、図６（ｂ）の状態では、被検者の頭部が正の方向（Ｒ方向）に＋αの角度で傾いたことにより、眼球２０の頭部方向中心線２０ｃは、鉛直方向に対して＋αの角度で傾いている。これに対して、被検者の眼球２０は、眼球２０の中心を中心として、頭部の傾き方向と反対の方向に回旋している。このとき、眼球２０の頭部方向中心線２０ｃに対する眼球２０の回旋角を、例えば−β（頭部の傾き方向と逆の方向にβ）であるとする（β≧０）。例えば、眼球２０の回旋角の絶対値βは、被検者の頭部の傾き角度の絶対値αよりも小さい。なお、この段階では、制御部４００は、眼球２０の回旋角が−βであると認識していない。
【００５１】
また、使用中画像Ｐ２も、基準画像Ｐ１と同様に虹彩２４の画像を含んでいる。使用中画像Ｐ２における虹彩２４の模様は、眼球２０の回旋に伴って、眼球２０の頭部方向中心線２０ｃに対して−βの角度で回転している。
【００５２】
（Ｓ１３０：回旋角計測工程）
次に、以下のようにして、被検者が使用状態であるときの眼球２０の回旋角を計測する。
【００５３】
図７（ａ）は、基準画像を示す図であり、図７（ｂ）は、使用中画像を示す図である。
図７（ａ）に示されているように、制御部４００では、基準画像Ｐ１を取得後、基準画像Ｐ１に対して、眼球２０から瞼等の部分を除去して虹彩２４を抽出する虹彩抽出処理、虹彩２４の模様のコントラストを調整するコントラスト調整処理、虹彩２４の模様のエッジを強調するエッジ強調処理等の画像処理が実施される。
また、図７（ｂ）に示されているように、制御部４００では、使用中画像Ｐ２を取得後、使用中画像Ｐ２に対しても、基準画像Ｐ２と同様の虹彩抽出処理、コントラスト調整処理、エッジ強調処理等の画像処理が実施される。
【００５４】
なお、被検者が使用状態であるとき、眼球２０を撮像する撮像素子３４０は、ヘッドマウント型として頭部に装着されているため、頭部と一緒に傾く（頭部の傾きに追従する）状態にある。このため、図７（ｂ）の使用中画像Ｐ２からは、頭部の傾きを把握することはできず、虹彩２４（眼球２０）が−βの角度で回旋した画像のみが得られる。
【００５５】
図７（ｃ）は、基準画像と使用中画像とをパターンマッチングしたときの図である。
図７（ｃ）に示されているように、回旋角計測手段４４６は、例えば以下のようにして、使用中画像Ｐ２における虹彩２４の画像を、基準画像Ｐ１における虹彩２４の画像とパターンマッチングさせ、基準画像Ｐ１に対する使用中画像Ｐ２の回旋角を計測する。
【００５６】
まず、使用中画像Ｐ２に基準画像Ｐ１を重ね合わせ、使用中画像Ｐ２における虹彩２４の画像に対する基準画像Ｐ１における虹彩２４の画像の差分を検出する。次に、基準画像Ｐ１の中心（瞳孔２１）を中心として、徐々に基準画像Ｐ１を回転させていき、使用中画像Ｐ２における虹彩２４の画像に対する回転後の基準画像Ｐ１における虹彩２４の画像の差分が最小となるまで繰り返す。使用中画像Ｐ２における虹彩２４の画像に対する回転後の基準画像Ｐ１における虹彩２４の画像の差分が最小となったとき、当該基準画像Ｐ１を回転させた角度を、基準画像Ｐ１に対する使用中画像Ｐ２の回旋角として計測（算出）する（以上、Ｓ１３０）。このようにして求められた基準画像Ｐ１に対する使用中画像Ｐ２の回旋角（−β）は、被検者が使用状態であるときの眼球２０の回旋角（−β）に相当する。基準画像Ｐ１に対する使用中画像Ｐ２の回旋角（−β）は、次の工程において、眼球２０の回旋角（−β）として、視標の呈示位置の補正に用いられる。
【００５７】
（Ｓ１４０：視標補正工程）
次に、視標補正手段４５０は、例えば以下のようにして、眼球２０の回旋に応じて、表示素子２４０が呈示する視標の呈示位置を補正する。
【００５８】
ここで、図８（ａ）は、被検者の頭部が基準状態であるときの視標を示す図である。なお、図８（ａ）および後述する図８（ｂ）は、表示素子２４０の表示画像を表示素子２４０を挟んで被検者と反対側から透過させて見た場合の図を示している。
図８（ａ）には、被検者の頭部が基準状態であるときの表示素子２４０の表示画面ＴＰ１が示されている。被検者の頭部が基準状態であるときの表示画面ＴＰ１では、眼球２０の中心の位置に表示画面ＴＰ１の中心が配置され、その表示画面ＴＰ１の中心に固定視標Ｏが呈示され、固定視標Ｏから離間した所定の位置に視標（刺激視標）Ｔ１が呈示されている。なお、図８（ａ）では、固定視標Ｏは黒い十字で示され、視標Ｔ１は黒い点として示されているが、実際には、背景は所定の明るさ（輝度）以下の暗い状態となっており、固定視標Ｏは所定の明るさ（輝度）を有する十字となっており、視標Ｔ１は検査のための所定の明るさ（輝度）を有する点となっている。
【００５９】
一方、図８（ｂ）は、被検者が使用状態であるときの視標を示す図である。
ここで、被検者が使用状態であって被検者の頭部が傾いているとき、視標Ｔ１を呈示する表示素子２４０は、ヘッドマウント型として頭部に装着されているため、頭部と一緒に傾く（頭部の傾きに追従する）状態にある。表示素子２４０の表示画面ＴＰ１が維持されたままでは、視標Ｔ１の呈示位置は、被検者の頭部が基準状態であるときの視標Ｔ１の呈示位置（図８（ｂ）中の点線の丸印）と変わらない。一方で、このとき、上述のように、被検者の眼球２０は、頭部の傾き方向と反対の方向に−βの角度で回旋している。回旋時の眼球２０に対する視標Ｔ１の呈示位置は、回旋前の眼球２０に対する視標Ｔ１の呈示位置よりも、眼球２０の回旋方向と反対の方向に相対的にずれてしまうことになる。このように視標Ｔ１の呈示位置がずれてしまった状態では、網膜２２上の目標とする視標Ｔ１の呈示位置に対して、正確な検査を行うことができなくなってしまう。
【００６０】
そこで、本実施形態では、図８（ｂ）に示されているように、視標補正手段４５０は、回旋角計測手段４４６が計測した回旋角−βに応じて、表示素子２４０が呈示する視標Ｔ１の呈示位置を補正する。具体的には、視標補正手段４５０は、被検者の頭部が基準状態であるときの視標Ｔ１を、表示画面ＴＰ１の中心を中心として眼球２０の回旋角−βと同じ角度で回転させて、被検者が使用状態であるときの視標Ｔ２とする。つまり、回旋角計測工程Ｓ１４０によって求めた眼球２０の回旋角−βを、そのまま視標Ｔ１の呈示位置を補正する角度（−β）とする。例えば、視標Ｔ１の座標を（ｘ１，ｙ１）としたとき、視標Ｔ１の座標を−βの角度で回転移動させて、視標Ｔ２の座標を（ｘ１ｃｏｓβ＋ｙ１ｓｉｎβ，−ｘ１ｓｉｎβ＋ｙ１ｃｏｓβ）とする。なお、このとき、固定視標Ｏを、表示画面ＴＰ１の中心を中心として回旋角−βと同じ角度で回転させてもよい。また、表示素子２４０の表示画面ＴＰ１の全体を、表示画面ＴＰ１の中心を中心として回旋角−βと同じ角度で回転させて、仮想の表示画面ＴＰ２に補正すると考えても良い。
【００６１】
このようにして、回旋角計測手段４４６が計測した回旋角−βに応じて、表示素子２４０が呈示する視標Ｔ１の呈示位置を補正することにより、被検者の頭部が傾いて眼球２０が回旋した場合であっても、回旋時の眼球２０に対する視標の呈示位置が、回旋前（被検者の頭部が基準状態であるとき）の眼球２０に対する視標の呈示位置と変わらないようにすることができる（以上、Ｓ１４０）。
【００６２】
（Ｓ１５０：検査終了判定）
その後、制御部４００は、視野検査を終了するか否かを判断する（Ｓ１５０）。視野検査を終了せず継続させるとき（Ｓ１５０でＮｏ）、再び使用中画像取得工程Ｓ１２０から視標補正工程Ｓ１４０までの工程を繰り返す。一方で、視野検査を終了するとき（Ｓ１５０でＹｅｓ）、一連の工程を終了する。
【００６３】
なお、被検者が使用状態であっても被検者の頭部が傾いていない場合、すなわちα＝０である場合も考えられる。この場合、眼球２０は回旋しない。本実施形態では、被検者の頭部が傾いていない場合においても、使用中画像取得工程Ｓ１２０から視標補正工程Ｓ１４０までの工程が行われる。すなわち、使用中画像取得工程Ｓ１２０では、眼球２０が回旋していない使用中画像Ｐ２が取得される。回旋角計測工程Ｓ１３０では、眼球２０の回旋角β＝０と計測される。視標補正工程Ｓ１４０では、回旋角β＝０として視標Ｔ１の呈示位置の補正が行われる。言い換えれば、視標Ｔ１の呈示位置は補正されない。
【００６４】
＜４．実施の形態による効果＞
本発明の実施の形態によれば、以下のような効果が得られる。
【００６５】
（ａ）本実施形態によれば、回旋検出手段４４０は、撮像素子３４０で撮像した眼球２０の画像に基づいて、眼球２０の回旋を検出する。視標補正手段４５０は、眼球２０の回旋に応じて、表示素子２４０が呈示する視標の呈示位置を補正する。これにより、被検者の頭部が傾いて眼球２０が回旋した場合であっても、回旋時の眼球２０に対する視標Ｔ１の呈示位置が、回旋前（被検者の頭部が基準状態であるとき）の眼球２０に対する視標Ｔ１の呈示位置よりも、眼球２０の回旋方向と反対の方向に相対的にずれてしまうことを抑制することができる。したがって、被検者の頭部が傾いて眼球２０が回旋した場合であっても、網膜２２上の目標とする視標の呈示位置に対して、正確な検査を行うことができる。
【００６６】
（ｂ）本実施形態によれば、まず、基準画像保持工程Ｓ１１０において、被検者の頭部が基準状態であるときに、撮像素子３４０で撮像した眼球２０の画像を基準画像Ｐ１として保持しておき、回旋角計測工程Ｓ１３０において、被検者が使用状態であるときに、撮像素子３４０で撮像した眼球２０の画像である使用中画像Ｐ２を、基準画像Ｐ１とパターンマッチングさせ、基準画像Ｐ１に対する使用中画像Ｐ２の回旋角−βを計測する。このようにして求められた基準画像Ｐ１に対する使用中画像Ｐ２の回旋角−βは、被検者が使用状態であるときの眼球２０の回旋角−βに相当する。つまり、使用中画像Ｐ２を基準画像Ｐ１とパターンマッチングさせることにより、眼球２０の回旋角−βを正確に計測することができる。そして、視標補正工程Ｓ１４０において、基準画像Ｐ１に対する使用中画像Ｐ２の回旋角−βに応じて、表示素子２４０が呈示する視標Ｔ１の呈示位置を補正することにより、回旋時の眼球２０に対する視標の呈示位置が、回旋前（被検者の頭部が基準状態であるとき）の眼球２０に対する視標の呈示位置と変わらないようにすることができる。したがって、被検者の頭部が傾いて眼球２０が回旋した場合であっても、視野検査の精度を向上させることができる。
【００６７】
（ｃ）本実施形態によれば、基準画像Ｐ１および使用中画像Ｐ２のそれぞれは、眼球２０の虹彩２４の画像を含む。基準画像Ｐ１および使用中画像Ｐ２のそれぞれにおける虹彩２４の画像は、回旋角計測工程Ｓ１３０でのパターンマッチングに用いられる。虹彩２４は被検者毎に上下左右非対称の特有の模様を有しているため、使用中画像Ｐ２における虹彩２４の画像を基準画像Ｐ１における虹彩２４の画像とパターンマッチングすることにより、基準画像Ｐ１に対する使用中画像Ｐ２の回旋角−βを容易に計測することができる。
【００６８】
ここで、参考までに、眼底画像を用いて眼球の回旋角を計測する場合について説明する。網膜を含む眼底も、非検査者毎に上下左右非対称の特有の模様を有している。回旋時の眼底画像を回旋前の眼底画像とパターンマッチングすることにより、本実施形態と同様の原理により、眼球の回旋角を計測することができる。しかしながら、この場合では、眼底を観察するための観察光学系が大掛かりなものになり易い。これに伴って、視覚検査装置全体が大型化してしまう可能性がある。これに対し、本実施形態によれば、眼球２０の表面（前眼部）における虹彩２４の画像をパターンマッチングに用いることにより、眼球２０の回旋角を容易に計測することができる。これにより、観察光学系３００を眼球２０の表面（前眼部）のみを観察するための簡易的な構成とすることができる。したがって、視覚検査装置全体を小型化することができる。
【００６９】
（ｄ）本実施形態によれば、表示光学系２００の眼球２０の瞳孔２１からミラー２２０までの光軸２８０ａは、観察光学系３００の眼球２０の瞳孔２１からミラーまでの光軸（２８０ａ）と一致している。これにより、表示素子２４０による視標の呈示位置と、撮像素子３４０によって撮像した眼球２０の画像内での位置とを対応（一致）させることができる。被検者の頭部が傾いて眼球２０が回旋したとき、撮像素子３４０による眼球２０の画像上で眼球２０の回旋角（−β）を求めれば、眼球２０の回旋角（−β）を、そのまま視標の呈示位置を補正する角度（−β）とすることができる。このように、視標の呈示位置を補正する角度を容易かつ正確に求めることができる。
【００７０】
＜５．他の実施の形態＞
本発明は、視覚検査装置として具現化するだけでなく、ヘッドマウント型の表示装置（Head Mounted Display）として具現化することも可能である。本実施形態においては、先の実施形態と比較して、「被検者」が「使用者」として置き換えられる点と、制御部４００の構成とが異なる。なお、本実施形態においては、従来のヘッドマウント型の表示装置と比較して、眼球２０を撮像するために観察光学系３００および撮像素子３４０を備える点が異なる。
【００７１】
（５−１．制御部）
図９は、他の実施形態の表示装置における制御部の構成を示す概略図である。
図９に示されているように、本実施形態の表示装置１２は、使用者に対して所定の画像を表示することができるように構成されており、制御部４００は、画像制御手段４７０として機能するように構成されている。
画像制御手段４７０は、表示素子２４０により所定の画像を表示させるよう制御するための機能である。
なお、表示素子２４０に表示する画像は、特に制限は無く、静止画、動画（ゲームや映画の映像など）のいずれであってもよい。また、表示する画像は、２次元の画像に限らず、左右で異なるようにして３次元の画像としてもよい。
【００７２】
また、本実施形態の表示装置１２は、使用者が使用する際に、眼球２０の回旋に応じて画像の表示位置を補正するように構成されており、制御部４００は、回旋検出手段４４０および画像補正手段４８０として機能するように構成されている。
回旋検出手段４４０は、先の実施形態と同様の機能であり、撮像素子３４０で撮像した眼球２０の画像に基づいて、眼球２０の回旋を検出するための機能である。
画像補正手段４８０は、眼球２０の回旋に応じて、表示素子２４０が表示する画像の表示位置を補正するための機能である。
【００７３】
（５−２．表示装置の画像補正方法）
本実施形態の表示装置の画像補正方法においては、先の実施形態の視覚検査装置の視標補正方法と比較して、視標補正工程Ｓ１４０の代わりに画像補正工程Ｓ１４０が行われる点が異なる。
【００７４】
画像補正工程Ｓ１４０では、画像補正手段４８０は、回旋角計測手段４４６が計測した回旋角−βに応じて、表示素子２４０が表示する画像の表示位置（表示角度）を補正する。具体的には、画像補正手段４８０は、被検者の頭部が基準状態であるときの画像（の全体）を、表示画面の中心を中心として眼球２０の回旋角−βと同じ角度で回転させて、被検者が使用状態であるときの画像とする。
【００７５】
本実施形態によれば、回旋角計測手段４４６が計測した回旋角−βに応じて、表示素子２４０が表示する画像の表示位置を補正することにより、被検者の頭部が傾いて眼球２０が回旋した場合であっても、回旋時の眼球２０に対する画像の表示位置が、回旋前（被検者の頭部が基準状態であるとき）の眼球２０に対する画像の表示位置と変わらないようにすることができる。
【００７６】
＜６．変形例等＞
本発明は、上述した実施形態の内容に限定されることはなく、その要旨を逸脱しない範囲で適宜変更することが可能である。
【００７７】
上述の実施形態では、制御部４００が装着具１２０の後頭部側に設けられている場合について説明したが、制御部はＨＭ部の筺体内に格納されていてもよい。また、制御部は、ＨＭ部とは別体として設けられていても良い。
【００７８】
上述の実施形態では、表示光学系２００の第１レンズ２１０が１枚で構成されている場合について説明したが、第１レンズは、複数枚のレンズにより構成されるレンズ群であってもよい。
【００７９】
上述の実施形態では、ミラー２２０がコールドミラーである場合について説明したが、ミラーは、ホットミラー、ダイクロイックミラーであってもよい。
【００８０】
上述の実施形態では、表示光学系２００の光軸がミラー２２０を介して屈曲されている場合について説明したが、表示光学系が直線的に配置され、観察光学系がミラーを介して屈曲されていてもよい。
【００８１】
上述の実施形態では、表示光学系２００のミラー２２０から表示素子２４０までの光軸２８０ｂが、表示光学系２００の眼球２０の瞳孔２１からミラー２２０までの光軸よりも鉛直上側に位置する場合について説明したが、表示光学系のミラーから表示素子までの光軸は、表示光学系の眼球の瞳孔からミラーまでの光軸よりも鉛直下側に位置していてもよい。
【００８２】
上述の実施形態では、視標補正工程Ｓ１４０において、眼球２０の回旋角−βに応じて、表示素子２４０の画面内で視標の呈示位置を補正する（移動させる）場合について説明したが、視標補正工程において、眼球の回旋角に応じて、光軸を軸として表示素子自体を回転させてもよい。
【符号の説明】
【００８３】
１０  視覚検査装置
１２  表示装置
２０  眼球
２１  瞳孔
２２  網膜
２４  虹彩
１００  ヘッドマウント（ＨＭ）部
１１０  筺体（装着本体）
１２０  装着具
２００  表示光学系
２１０  第１レンズ
２２０  ミラー
２３０  第２レンズ群
２３２  正レンズ
２３４  負レンズ
２３６  正メニスカスレンズ
２４０，２４０Ｒ，２３０Ｌ  表示素子
２８０ａ，２８０ｂ  光軸
３００  観察光学系
３１０  光源
３２０  撮像レンズ
３４０  撮像素子
３８０ａ  光軸
４００  制御部（コンピュータ部）
４１０  視標呈示手段
４２０  縮瞳検出手段
４３０  感度マッピング手段
４４０  回旋検出手段
４４２  基準画像保持手段
４４６  回旋角計測手段
４５０  視標補正手段
４７０  画像制御手段
４８０  画像補正手段
５２０  スイッチ
【図１】
2016198387.tif 000003
【図２】
2016198387.tif 000004
【図３】
2016198387.tif 000005
【図４】
2016198387.tif 000006
【図７】
2016198387.tif 000007
【図８】
2016198387.tif 000008
【図９】
2016198387.tif 000009
【図５】
2016198387.tif 000010
【図６】
2016198387.tif 000011